(57)【要約】【課題】  揚穀装置に発生する圧力風が還元する穀粒の勢いを低下させたり、粉塵がホッパーに付着して穀粒の滑りを阻害し、詰まりや脱ぷロールの供給を妨げて選別性能を低下させる課題がある。【解決手段】  風選した粃米と籾米を還元する揚穀装置を装備した籾摺機において、還元用スロワー１とホッパー２を接続する還元通路３に排風口５を設け、排風室７から選別室８を介して吸引ファン１１と連通する排風通路にし、該排風室７を吸引ファン１１と正面視で重なる側方に配置するとともに、吸引ファンケース１２と還元通路３との間に該排風室７を設置して、前記還元通路３と吸入口１３を接近させて排風効果を高めた除塵装置の提供である。【選択図】  図１
2005329298.tif 000002
【特許請求の範囲】
【請求項１】
機体の前方に設置した摺落部と後方に設置した揺動選別装置の間に選別室を設けて吸引ファンに連通させ、揺動選別装置で分離した籾米を還元する揚穀装置を装備した籾摺機において、揚穀装置（Ａ）とホッパー（２）を接続する還元通路（３）を吸引ファン（１１）に連通させたことを特徴とする籾摺機の除塵装置。
【請求項２】
還元通路（３）に排風室（７）を併設し、その吐風口（１５）を選別室（８）に臨ませて吸引ファン（１１）に連通させたことを特徴とする請求項１に記載した籾摺機の除塵装置。
【請求項３】
還元通路（３）と吸引ファンケース（１２）の間に排風室（７）を設置するとともに、正面視で吸引ファン（１１）と重なる位置に前記排風室（７）を設けたことを特徴とする請求項１に記載した籾摺機の除塵装置。
【発明の詳細な説明】
【技術分野】
【０００１】
本発明は摺落部と揺動選別装置の間に選別室を設けて吸引ファンに連通させ、揺動選別装置で分離した籾米を還元する揚穀装置に排風路を形成した除塵装置に関するものである。
【背景技術】
【０００２】
摺落部の後方に隣接させて選別室を配置した従来の籾摺機では、分離した籾米をスロワーによってホッパーに還元する循環経路にしてあるが、スロワーの回転に伴い籾殻や粉塵が発生して該ホッパー内に付着し、籾米の流れを阻害したり粉塵が機外に漏れる等の弊害がある。これを解消するために、前記スロワーの上端に倒八字形の流下板を上下に設け、Ｓ字状に落粒させながら排出口から穀粒を取出す一方、流下板に開口した透孔から圧力風を抜き出し、一体形成した貯留部を通過して戻し風路から塵埃を排風するものがある（例えば特許文献１参照。）。又
、スロワー筒に対して拡大させた排塵ボックスを設け、排塵漏斗部に穀粒が流下する網目板を内設して、滑落中の穀粒から塵埃を分離してスロワー筒部に近設した塵埃箱に集塵するものがある（例えば特許文献２参照。）。しかしながら、放出穀粒を貯留部に一旦投入して勢いを減衰させ、漏斗状の斜面を滑落中に圧力風と塵埃が透し孔を通過して回収されるもので、流下板の該透し孔や網目が塞がり易くなり、塵埃の目詰まりが生じたり放出した籾米が滞留して通路の詰まりを招くことがある。
【０００３】
【特許文献１】特開平１０−１０８５３７号公報（第２−３頁、第１、７図）
【特許文献２】特開平１１−３１９４４４号公報（第２−３頁、第１−２図）
【発明の開示】
【発明が解決しようとする課題】
【０００４】
還元用スロワーの場合、投入した穀粒の勢いが減衰すると放出距離が短くなってホッパーの斜面を滑落する速度が低下し、粉塵の付着や狭雑物の影響を受けて通路が詰まる等の弊害を招く。又、スロワーの回転による衝撃で発生した籾殻の除去がされないために、選別室に還流されて選別性能を妨げる課題がある。
【課題を解決するための手段】
【０００５】
このような課題を解消する本発明は、還元物が投入される勢いを保持するために排風路を吸引ファンの近傍に設け、スロワーの圧力風を排風口から吸引ファンに誘導し易い構成にして、排風とともに籾殻の除去を可能にした除塵装置を提供するものである。
【０００６】
機体の前方に設置した摺落部と後方に設置した揺動選別装置の間に選別室を設けて吸引ファンに連通させ、風選した粃米と揺動選別装置で分離した籾米を還元する揚穀装置を装備した籾摺機において、揚穀装置とホッパーを接続する還元通路を吸引ファンに連通させ、籾米の飛行中に吸引力が作用する構成にしてある。
【０００７】
還元通路に排風室を併設し、その吐風口を選別室に臨ませて吸引ファンに連通させ、還元通路からの排風路に排風室と選別室が介在する経路にした。
【０００８】
還元通路と吸引ファンケースの間に排風室を設置するとともに、正面視で吸引ファンと重なる位置に前記排風室を設け、強い吸引風力が排風室を介して還元通路に作用する構成にした。
【発明の効果】
【０００９】
揚穀装置Ａに還元用スロワー１を用いた場合、放出する籾米の勢いを保持したまま塵埃を除去してホッパー２内に籾米を投入する本発明は、傾斜面等に付着する粉塵が少なくなって流下の妨げが生じず、還元通路が詰まる等の弊害が防止されるとともに、スロワー羽根５１の回転によって発生する籾殻を吸引ファン１１が吸塵するために、還元物から塵埃が効率良く除去され選別性能が向上する効果がある。
【発明を実施するための最良の形態】
【００１０】
次に、本発明の実施の形態を添付の図面を用いて説明する。図１に示す籾摺機の全体正面図と図６の要部を断面した右側面図を併用して、先ず籾摺機の構造の概要を説明すると、摺落部Ｂを機体の前方に配置させて後方上に多段の選別板１６を斜設した揺動選別装置１７を設置し、該摺落部Ｂと揺動選別装置１７との間に垂直方向の選別室８を配置させたレイアウトにしてあり、籾摺りを行う原料籾を先ずホッパー２に供給し、対向する一対の脱ぷロール１８によって玄米、籾殻
、籾米、粃米、塵埃からなる摺米に変化させ、該脱ぷロール１８の下方に設けた案内板２０を流下する途中で塵埃や、籾殻を吸引ファン１１と連通する副選別室２２で粗選別を行い、残った摺米を前記選別室８に跳出して副選別室２２で処理されなかった塵埃や籾殻を再度、吸引選別によって機外に排出する選別装置である。
【００１１】
揺動選別装置１７で分離した籾米と選別室８で風選した粃米の還元経路は、落流室３２内に還元通路４１を形設した流下樋２１を設置し、該流下樋２１に設けた籾米樋２３で該揺動選別装置１７から落下する籾米を漏斗部に誘導し、側板４５に開口した流入口４６からスロワー１に供給する還元経路にしたものである。
一方の粃米は選別室８の上方に架設した粃コンベヤ２６で集穀して機体外側に取出すものであるが、切替弁２９の操作によって前記還元通路４１側に粃米が供給され、籾米と一緒になって前記スロワー１に流入し、ホッパー２に投入する経路に切替わる構成にしてある。尚、３１は吸入口を落粒室３２に開口して選別室８の下方に送風する唐箕ファンである。
【００１２】
選別室８で回収する混合米は、図２の側面図にも示すように軸端にスロワー羽根５１を固着した混合米コンベヤ３３に流入し、矢印イの方向に搬送して終端に立設する昇降機３５に受継ぎ、揺動選別装置１７の始端側に通じる混合米タンク３６に放出され、各々の選別板１６に混合米を均等に供給する経路にしてある。この混合米を選別する前記揺動選別装置１７は、機台枠３７に基部を装着した揺動アーム３８で支持され、クランクロッド４０の往復運動によって揺動選別を行い、傾斜する前記選別板１６の下方から籾米が落下し、前記したように籾米樋２３で整流しながら還元通路４１の漏斗部に流入する還元経路になっている。又、傾斜する選別板１６の上方から落粒する玄米を除塵室４２に誘導して、再度の吸引選別を行い後端に設置した仕上米昇降機４３に受継ぎ、機外に取出して袋詰めをする搬出経路にしてある。
【００１３】
選別板１６で分離した下方側の籾米と上方側の玄米に挟まれた中間域４８から混合米が落下し、落粒室３２に張設した流穀板５０を滑落して混合米コンベヤ３３に流入させ、前方から流下してきた摺落し米と一緒になって終端に立設する昇降機３５に受継ぎ、前述したように揺動選別装置１７の始端側に還元する循環経路にしてある。
【００１４】
このような揺動選別装置１７によって分離した籾米を漏斗状にした流下樋２１に供給し、還元通路４１を落流して側板４５に開口させた流入口４６から還元用のスロワー１に供給する経路にしてあり、該スロワー１を構成する揚穀筒４７を正面視で吸引ファン１１と重なる位置に立設させ、先端にホッパー２と接続する還元通路３を形成して、圧力風の除去に伴って原籾供給口５２の近傍に還元物を投入できる構成にしたものである。
【００１５】
図２は還元通路を断面した側面図であって、図３の排風部を示す平面図と図１の正面図を併用して本発明の要旨である除塵装置を説明すると、揺動選別装置１７で分離した籾米が矢印ロ方向に流下樋２１を落流してスロワー１の内側から供給され、スロワー羽根５１の回転で吸引ファンケース１２の上方まで揚穀し、ホッパー２の原籾供給口５２に接続する還元通路３に矢印ハ方向に還元物を投入するものであって、湾曲するガイド部５３に沿って籾米を飛行させ、該還元通路３内で高まるスロワー１の圧力風を側方に開口した鎧戸状の排風口５から排風室７に抜取り、吸入口１３を形成する選別室８の上部に開口させた吐風口１５と連通させ、吸引ファン１１で排風する構成にしたものである。
【００１６】
排風室７の装着位置は、選別室８の中央に装備した吸引ファンケース１２と還元通路３の間に挟着され、吸入口１３を巻回する選別室８の上方に設けた吐風口１５を介して、還元通路３と吸引ファン１１が連通する構造にしてあり、スロワー１の圧力風を鎖線矢印ニの方向に排風させ、該吐風口１５から選別室８に吸出した後に矢印ホ方向に吹上げる選別風と合流し、前記吸引ファン１１で機外に放出する排風経路にしたものであって、該吸引ファン１１に対して排風室７が近設され圧力風が効果的に排風できる除塵装置にしたものである。
【００１７】
図４と図５は排風室を断面した正面図と左側面図であって、図３の平面図を併用して排風口の構造を説明すると、排風口５の設置を穀粒の投入方向が安定するガイド部５３の接線方向に開口してあり、籾殻が自由に通過できるように開口幅を拡張させて排風室７側に膨出する鎧戸状にし、侵入する穀粒を防止する形状にしたものである。このような排風口５をホッパー２上に設けた還元通路３と排風室７の境界面に開口したために、乱反射した一部の穀粒が室内に侵入しても堆積しないように、小窓５５を前記排風室７の下端に開口させて前記還元通路３の下方に還流できる構成にしたものである。
【００１８】
又、排風口５から選別室８に圧力風を抜取る排風方向を穀粒の投入方向と反対の矢印ニ方向にし、穀粒の飛行方向が反転し難い相反する方向に排風するとともに、還元通路３の外側面に連設した前記排風室７には、比重の軽い塵埃と籾殻が通過し易い長手方向の排風口５を開口させたので、吸引ファン１１に近設した該排風室７に強い吸塵力が作用しても、穀粒の侵入を防止できる排風構造にしたものである。
【００１９】
図７と図８は、別途の実施例を示す除塵装置の正面図と、要部を断面した側面図であって構造の概要を説明すると、還元用スロワー１に嵌着する還元通路３をホッパー２の外側に装着し、原籾供給口５２に至る誘導路６０を前記還元通路３の先端から屈折させて、前記ホッパー２内に形設したものであり、該誘導路６０の上方に開口する受け口６１で投入する還元物を受取るものであるが、該受け口６１から外れた一部の穀粒と、還元通路３の底面を開放した排風口５から、矢印ニの方向に吸い出された塵埃が選別室８の側板４５に設けた吐風口１５から吸入口１３に向かって吸塵され、前記選別室８内を通過中に還元物から籾米と穀粒が落下して回収できる排風構造にし、還元物が飛行する下側を全面開放して排風効果を高めた除塵装置の実施例である。
【００２０】
以上説明したように還元用スロワー１に接続した還元通路３と別途に排風室７を併設した構成であるために、該スロワー１によって投げ出された籾米の勢いが減衰することなく、籾殻と塵埃が除去された還元物をホッパー２内に供給でき、しかも、ホッパー２の傾斜面を滑落する籾米が粉塵の付着によって阻害されず詰まりや堆積を防止するとともに、籾米の供給を妨げていた浮遊塵埃が除去されて脱ぷ性能が高まり、籾殻の混在が減少して選別性能が向上する特性がある。
【産業上の利用可能性】
【００２１】
穀物等の搬送中に塵埃を除去する場合に、還元通路と吸引装置を接近させた配置にして吸引力を高め、通路内に付着する粉塵の搬送障害を改善させるので、穀粒が滑落する経路やコンベヤによる搬送通路の排風と除塵に適用できる。
【図面の簡単な説明】
【００２２】
【図１】籾摺機の全体正面図である。
【図２】還元通路を断面した側面図である。
【図３】排風部を示す平面図である。
【図４】排風室を断面図した正面図である。
【図５】排風室を断面した左側面図である。
【図６】要部を断面した全体の右側面図である。
【図７】別途実施例を示す除塵装置の正面図である。
【図８】要部を断面した側面図である。
【符号の説明】
【００２３】
Ａ・・揚穀装置
１・・スロワー            ２・・ホッパー            ３・・還元通路
５・・排風口              ７・・排風室              ８・・選別室
１１・・吸引ファン        １２・・吸引ファンケース  １３・・吸入口
１５・・吐風口            ５１・・スロワー羽根      ５２・・原籾供給口
５３・・ガイド部          ５５・・小窓              ６０・・誘導路
６１・・受け口
矢印ハ・・還元物の投入方向
矢印ニ・・排風の方向
【図１】
2005329298.tif 000003
【図２】
2005329298.tif 000004
【図３】
2005329298.tif 000005
【図４】
2005329298.tif 000006
【図５】
2005329298.tif 000007
【図６】
2005329298.tif 000008
【図７】
2005329298.tif 000009
【図８】
2005329298.tif 000010